(57)【要約】【課題】  この改良用パーツを使った容器は、収納物の出し入れが大変楽にでき、容器としての役目を十分発揮でき、しかも精密品にも対応できる。大掛りでない容器改良用パーツを提供する。【解決手段】  改良用パーツのスプリングが受け皿を支える。この受け皿のスプリングにより機能する。これで改良用パーツを使用した容器は、常に収納物を出し入れしやすい適正な位置に保たれる。【選択図】図１
2010000245.tif 000002
【特許請求の範囲】
【請求項１】
収納容器などに使用し、容器に付加価値機能を持たせる容器用パーツであって、収納物を載せる受け皿と、前期受け皿を支えるスプリングに代表される弾性材料と、を有することを特徴とする容器用パーツ。
【請求項２】
収納容器などに使用し、容器に付加価値機能を持たせる容器用パーツであって、収納物を載せる受け皿と、前記受け皿を支えるスプリングに代表される弾性材料と、容器本体の底部分を保護補強する保護板と、を有することを特徴とする容器用パーツ。
【請求項３】
前記容器用パーツであって、前記受け皿を支える、前記弾性材料と、ダンパーとを組合せたこと、を特徴とする請求項１または２に記載の容器用パーツ。
【発明の詳細な説明】
【技術分野】
【０００１】
本発明は、収納容器に使用し、容器に付加価値機能を持たせることを可能にする、容器の改良用パーツに関する。                  
【背景技術】
【０００２】
従来収納物を出し入れする深さの在る容器などでは、収納物は下段になるほど、出し入
れしにくいものであった。まして工場内や仮収納時など出し入れが頻繁に行なわれる場所
では非常に煩わしい辛いものであった。
【０００３】
しかし実際には、収納時と取り出し時の両方を満足させる機能を備えた容器は、その役目を限定されたものだけを対象にしていた。
下記の特許文献１には、特定の限られた部品を収納するものが開示される。
また、下記の特許文献２には、これもまた収納される品物が限定された皿のみを収納するもので、ジャッキ構造を持った大変複雑なものが開示される。      
【特許文献１】特開  ２００８−０６８８８１
【特許文献２】特開  ２００５−２３０２３５
【発明の開示】
【発明が解決しようとする課題】
【０００４】
しかしながら、上記の特許文献１の技術は、収納する品物を限定されているために利用分野も狭く、こうした容器は当然使用場所も限定されてくる。
また、特許文献２は、機械的に複雑なものを使用した、収納容器の技術が開示される。
これはかなり大掛なもので、コスト面でも現実的ではない。
そこで本発明は、容器内へ入れるだけで付加価値機能を持たせることができる、大掛かりでなくコスト面でも実用的で、利用分野面から見ても非常に広範囲に利用できる、容器に使用する容器用パーツを提供することを目的とする。
【課題を解決するための手段】
【０００５】
以上の課題を解決するために、第一発明は、収納容器などに使用し、容器に付加価値機能を持たせる容器用パーツであって、収納物を載せる受け皿と、前記受け皿を支えるスプリングに代表される弾性材料と、を有することを特徴とする容器用パーツである。
【０００６】
第二発明は、収納容器などに使用し、容器に付加価値機能を持たせる容器用パーツであ
って、収納物を乗せる受け皿と、前記受け皿を支えるスプリングに代表される弾性材料と、
容器本体の底部分を保護補強する保護板と、を有することを特徴とする容器用パーツである。
【０００７】
第三発明は、前記容器パーツであって、前記弾性材料と、ダンパーとを組み合わせたこ
と、を特徴とする容器用パーツである。
【発明の効果】
【０００８】
第一発明によれば、この改良用パーツを容器内に入れて使用すれば、改良用パーツの受け皿上の収納物は、自身の重量負荷で受け皿を支えるスプリング効果のため受け皿と伴に下方へ移動して常に収納物を入れ易い適正な位置に保たれていく。次に収納物を取り出す時は収納物の負荷が軽減されて、前回とは逆に受け皿は収納物と伴に上方へ移動して常に収納物を取り出し易い適正な位置に保たれて機能する。よってこの改良用パーツは、容器に入れるだけの手軽さで、使用する容器を付加価値のあるものに改良できる。そしてこれは機械的にも大掛かりでなく経済的にも大変有効である。このため利用分野は、非常に広範囲に利用できる。
【０００９】
しかも収納物を出し入れする際、容器内に手を入れて出し入れする必要が無くなったために容器サイズは従来のサイズより一回り小さいサイズでよく、容器の置き場所としての占有面積も少なくてすむため、場所の有効利用をならしめる。
【００１０】
第二発明によれば、上記第一発明と同様の効果がある。なおその上に保護板を備えた改良用パーツのために容器を保護補強するので容器は、収納物が重量のあるものにも耐える。
第三発明によれば、弾性材料とダンパーとを組み合わせることで衝撃をうまく吸収できるため、振動や衝撃を嫌う精密品などの収納物にも、普通の台車やトラックといった輸送手段でも対応を可能にした。このことは大変経済的にも有効である。
【発明を実施するための最良の形態】
【００１１】
この発明の実施形態を、図１に示す。この図は、容器に弾性材料としてスプリングを二個備えたものをセットして改良された容器の断面図を示す。
このようにして改良用パーツが加工されること無くセットして改良された容器５は、収納物６に適したスプリング強度の改良用パーツを選択すれば、この容器５内に入れられる収納物６の重量負荷で受け皿１を支えるスプリング２効果のため常に適正な位置に下降して機能する。次に収納物６を出す際には、収納物６の重量負荷の軽減で受け皿１を支えるスプリング２効果のために常に適正な位置に上昇して来て機能する。このために収納物６に適合する改良用パーツを選択して使用する。
【００１２】
「実施形態の効果」
この実施形態によれば、この適合する容器パーツを容器５内にセットして改良された容器５は、収納物６を順次重ねて入れていけば、スプリング２効果のため受け皿１は下降して常に収納に適正な位置を保もてる。次に取出しは、順次取り出せばよくこのため受け皿１が上方に収納物６と伴に移動して常に取り出しに適正な位置を保つため無駄のない楽な作業をすることが出来る。
【００１３】
「他の実施形態」
図１の実施形態では、受け皿１が二個のスプリング２で支えられたパーツで改良された容器５であるが、小径なスプリングの集合体で支えられた受け皿は、重量のある収納物６でも収納可能である。このため容器５はそのままで容器パーツを取り替えるだけで、いろいろな収納物６にも対応できる。また図３には、弾性材料２とダンパー４の組み合わせで振動や襲撃を嫌う精密品などの収納物６ａにも対応可能である。さらにこうした改良用パーツをセットされた容器５で，振動や衝撃を嫌う精密品などの収納物６ａを、運ぶ際に一般的な台車やトラックなどの輸送手段に対しても非常に有効である。
【図面の簡単な説明】
【００１４】
【図１】この発明の一実施形態を示す正面断面図である。
【図２】この発明の一改良用パーツである。
【図３】この発明の一実施形態を示す正面断面図である。
【符号の説明】
【００１５】
１    受け皿
２    スプリング
３    底板保護板
４    ダンパー
５    容器
６    収納物
６ａ  精密品収納物
【図１】
2010000245.tif 000003
【図２】
2010000245.tif 000004
【図３】
2010000245.tif 000005